(57)【特許請求の範囲】
【請求項１】
ディスクを回転させるスピンドルモータと、ディスクから信号を再生するピックアップと、前記ピックアップを移送するトラバースモータと、前記スピンドルモータと、ピックアップとトラバースモータを制御するサーボ部と、前記ピックアップから再生された信号を復調する信号復調部と、前記信号復調部で復調されたデータを格納するショックプルーフメモリと、前記ショックプルーフメモリを制御するメモリ制御部と、前記ショックプルーフメモリのデータを読み出すデータ読み出し部と、使用者が動作を指示するための操作入力部と、前記操作入力部からの入力に基づいて、前記サーボ部と、前記信号復調部と、前記メモリ制御部とを制御し、前記操作部からの入力があったとき、操作入力フラグを出力するシステム制御部と、前記システム制御部が送出する操作入力フラグを受け取ってから所定時間が経過するまでの間、操作入力期間フラグを出力するタイマ手段とを備え、前記システム制御部は、前記サーボ部と、前記信号復調部と、前記メモリ制御部とを制御して、前記ディスク上の所定量のデータを前記ショックプルーフメモリへ格納した後、前記操作入力期間フラグが立っていないときは、前記スピンドルモータの駆動を停止し、前記操作入力期間フラグが立っているときはスピンドルモータの駆動を停止せず、その後前記ショックプルーフメモリのデータ残量が所定量以下になった場合、前記スピンドルモータが停止、または所定の線速度以下に対応する回転数になっているときには、前記スピンドルモータを起動した後、前記ディスク上のデータの前記ショックプルーフメモリへの格納を開始し、前記スピンドルモータが所定の線速度に対応する回転数になっているときには、直ちにディスク上のデータの前記ショックプルーフメモリへの格納を開始することを特徴とするディスク再生装置。
【請求項２】
ディスクを回転させるスピンドルモータと、ディスクから信号を再生するピックアップと、前記ピックアップを移送するトラバースモータと、前記スピンドルモータと、ピックアップとトラバースモータを制御するサーボ部と、前記ピックアップから再生された信号を復調する信号復調部と、前記信号復調部で復調されたデータを格納するショックプルーフメモリと、前記ショックプルーフメモリを制御するメモリ制御部と、前記ショックプルーフメモリのデータを読み出すデータ読み出し部と、使用者が動作を指示するための操作入力部と、前記操作入力部からの入力に基づいて、前記サーボ部と、前記信号復調部と、前記メモリ制御部とを制御し、前記操作部からの入力があったとき、操作入力フラグを出力するシステム制御部と、前記システム制御部が送出する操作入力フラグを受け取ってから所定時間が経過するまでの間、操作入力期間フラグを出力するタイマ手段とを備え、前記システム制御部は、前記サーボ部と、前記信号復調部と、前記メモリ制御部とを制御して、ディスク上の所定量のデータを前記ショックプルーフメモリへ格納した後、前記操作入力期間フラグが立っていないときは、スピンドルモータの駆動を停止し、前記操作入力期間フラグが立っているときはスピンドルモータの駆動を停止せず、その後前記操作入力部からトラックアクセスの指示があった場合、スピンドルモータが停止、または所定の線速度以下に対応する回転数になっているときには、スピンドルモータを起動した後、ディスク上のデータの前記ショックプルーフメモリへの格納を開始し、スピンドルモータが所定の線速度に対応する回転数になっているときには、直ちにディスク上のデータの前記ショックプルーフメモリへの格納を開始することを特徴とするディスク再生装置。
【請求項３】
システム制御部は、サーボ部と、信号復調部と、メモリ制御部とを制御して、ディスク上の所定量のデータをショックプルーフメモリへ格納した後、スピンドルモータの駆動を停止するとともに、前記サーボ部と、前記信号復調部の動作も停止し、その後前記ショックプルーフメモリのデータ残量が所定量以下になったとき、スピンドルモータを起動するとともに、前記サーボ部と、前記信号復調部の動作も開始し、ディスク上のデータの前記ショックプルーフメモリへの格納を開始する請求項１または請求項２記載のディスク再生装置。
【請求項４】
ディスクを回転させるスピンドルモータと、ディスクから信号を再生するピックアップと、前記ピックアップを移送するトラバースモータと、前記スピンドルモータと、ピックアップとトラバースモータを制御するサーボ部と、前記ピックアップから再生された信号を復調する信号復調部と、前記信号復調部で復調されたデータを格納するショックプルーフメモリと、前記ショックプルーフメモリを制御するメモリ制御部と、前記ショックプルーフメモリのデータを読み出すデータ読み出し部と、使用者が動作を指示するための操作入力部と、前記操作入力部からの入力に基づいて、前記サーボ部と、信号復調部と、メモリ制御部とを制御するシステム制御部とを備え、前記システム制御部は、スピンドルモータが停止、または所定の値より線速度が低くなる回転数の状態で、前記操作入力部よりトラックアクセスの指示が出た場合、前記サーボ部を介して前記スピンドルモータを起動し、通常の再生時より低い線速度になるスピンドルモータの回転数で、前記サーボ部と、前記信号復調部と、前記メモリ制御部とを制御して、前記ディスク上のデータの前記ショックプルーフメモリへの格納を開始することを特徴とするディスク再生装置。
【請求項５】
ディスクを回転させるスピンドルモータと、ディスクから信号を再生するピックアップと、前記ピックアップを移送するトラバースモータと、前記スピンドルモータと、ピックアップとトラバースモータを制御するサーボ部と、前記ピックアップから再生された信号を復調する信号復調部と、前記信号復調部で復調されたデータを格納するショックプルーフメモリと、前記ショックプルーフメモリを制御するメモリ制御部と、前記ショックプルーフメモリのデータを読み出すデータ読み出し部と、使用者が動作を指示するための操作入力部と、前記操作入力部からの入力に基づいて、前記サーボ部と、信号復調部と、メモリ制御部とを制御するシステム制御部とを備え、前記システム制御部は、前記スピンドルモータが停止、またはフリーランの状態で、前記ショックプルーフメモリのデータ残量が所定量以下になったとき、前記サーボ部を介して前記スピンドルモータを起動し、前記信号復調部と、前記メモリ制御部とを制御してディスク上のデータの前記ショックプルーフメモリへの格納を開始し、その後前記サーボ部と、前記信号復調部と、前記メモリ制御部とを制御して、所定の線速度または所定のスピンドルモータ回転数に達するまで、前記スピンドルモータの回転数を上昇させることを特徴とするディスク再生装置。
【請求項６】
ディスクを回転させるスピンドルモータと、ディスクから信号を再生するピックアップと、前記ピックアップを移送するトラバースモータと、前記スピンドルモータと、ピックアップとトラバースモータを制御するサーボ部と、前記ピックアップから再生された信号を復調する信号復調部と、前記信号復調部で復調されたデータを格納するショックプルーフメモリと、前記ショックプルーフメモリを制御するメモリ制御部と、前記ショックプルーフメモリのデータを読み出すデータ読み出し部と、使用者が動作を指示するための操作入力部と、前記操作入力部からの入力に基づいて、前記サーボ部と、信号復調部と、メモリ制御部とを制御するシステム制御部とを備え、前記システム制御部は、スピンドルモータが停止、またはフリーランの状態で、トラックアクセスの指示が出た場合、前記サーボ部を介してスピンドルモータを起動し、前記信号復調部と、前記メモリ制御部とを制御して、前記ディスク上のデータの前記ショックプルーフメモリへの格納を開始し、その後前記サーボ部と、前記信号復調部と、前記メモリ制御部とを制御して、所定の線速度または所定のスピンドルモータ回転数に達するまで、スピンドルモータの回転数を上昇させることを特徴とするディスク再生装置。
【請求項７】
ディスクを回転させるスピンドルモータと、ディスクから信号を再生するピックアップと、前記ピックアップを移送するトラバースモータと、前記スピンドルモータと、ピックアップとトラバースモータを制御するサーボ部と、前記ピックアップから再生された信号を復調する信号復調部と、前記信号復調部で復調されたデータを格納するショックプルーフメモリと、前記ショックプルーフメモリを制御するメモリ制御部と、前記ショックプルーフメモリのデータを読み出すデータ読み出し部と、使用者が動作を指示するための操作入力部と、前記操作入力部からの入力に基づいて、前記サーボ部と、信号復調部と、メモリ制御部とを制御するシステム制御部とを備え、前記システム制御部は、前記スピンドルモータが停止またはフリーランの状態で、前記サーボ部を介して前記スピンドルモータを起動し、前記信号復調部が出力するアドレスＯＫフラグがＯＫになった後、前記信号復調部と、前記メモリ制御部とを制御して、前記ディスク上のデータの前記ショックプルーフメモリへの格納を開始し、その後前記サーボ部と、前記信号復調部と、前記メモリ制御部とを制御して、所定の線速度または所定のスピンドルモータ回転数に達するまで、スピンドルモータの回転数を上昇させることを特徴とするディスク再生装置。
【発明の詳細な説明】
【０００１】
【発明の属する技術分野】
本発明は、ミニディスク等のディスク再生装置に関するものである。
【０００２】
【従来の技術】
以下、ディスク再生装置の第１の従来例について、図９および図１０を参照しながら説明する。本従来例は、ミニディスクシステムを例にして説明する。なおミニディスクシステムの構成については、日経エレクトロニクス誌Ｎｏ．５３５，１９９１．９．２号１２７頁〜１４１頁に掲載されている。
【０００３】
図９にディスク再生装置の従来例の構成を示す。図９において、ディスク１０１は光磁気ディスク、または光ディスクである。スピンドルモータ１０２は、ディスク１０１を回転させるスピンドルモータで、モータドライバ１０５を介して、サーボ部１０６よって駆動される。ディスク１０１に記録された信号は光ピックアップ１０３で読み出され、再生アンプ１０７に供給される。光ピックアップ１０３は、モータドライバ１０５を介してサーボ部１０６によって駆動される。また光ピックアップ１０３は、トラバースモータ１０４によって、ディスク上の位置が制御される。トラバースモータ１０４は、モータドライバ１０５を介してサーボ部１０６によって駆動される。
【０００４】
再生アンプ１０７は光ピックアップ１０３で再生された再生信号を電流−電圧変換し、波形等化して信号復調部１０８に供給する。また再生アンプ１０７は、光ピックアップ１０３で再生されたＡＤＩＰ（アドレスインプリグルーブ）信号を電流−電圧変換して信号復調部１０８に供給する。なお光ピックアップから再生信号とＡＤＩＰ信号を分離する方法は、日経エレクトロニクス誌Ｎｏ．５３５，１９９１．９．２号１２７頁〜１４１頁に掲載されている。また再生アンプ１０７は、光ピックアップ１０３で再生された信号を電流−電圧変換した後、サーボ用の信号を生成し、サーボ部１０６に供給する。
【０００５】
信号復調部１０８は、システム制御部１１３が復調を指示したとき、再生アンプ１０７から供給される再生信号からクロックを抽出し、抽出したクロックによってデータを検出し、ＥＦＭ（８−１４変調）変調されたデータを復調する。クロックの抽出はＰＬＬ（Phase Locked Loop)回路によって実現する。その後、信号復調部１０８は、フレーム同期信号を検出し、復調データに含まれる誤り訂正符号を用いて、誤り訂正を行い、訂正後のデータをショックプルーフメモリ１０９に送出する。また信号復調部１０８は、復調の際に検出されたフレームクロック（約７．３５ｋＨｚ）をサーボ部１０６に供給する。フレームクロックは再生されたフレームと同一の周波数を持つクロックであり、フレーム同期信号をもとに信号復調部１０８で生成される。また信号復調部１０８は、光磁気ディスクに記録されているＡＤＩＰ信号を復調し、ビットクロックを生成し、サーボ部１０６に供給するとともに、ＡＤＩＰに記録されているアドレス信号を検出し、システム制御部１１３に送出する。ショックプルーフメモリ１０９は、信号復調部１０８の出力する訂正後データを保存するメモリである。ＴＯＣメモリ１１５は、信号復調部１０８によって読み出された、ディスクに記録された、トラック（曲）とのトラックの先頭アドレスの組を記憶するメモリである。
【０００６】
サーボ部１０６は、光ディスクの再生時には復調部１０９から供給されるフレームクロックによってディスク１０１の回転数を制御する。サーボ部１０６は、光磁気ディスクの再生時、または記録時には復調部１０８で生成されたＡＤＩＰ信号のビットクロックによってディスク１０１の回転数を制御する。
【０００７】
メモリ制御部１１０は、ショックプルーフメモリ１０９に格納されているデータ量に基づいて、ショックプルーフメモリ１０９に格納されているデータ量が、メモリ容量の上限に達したときメモリフルフラグＭＦを立て、データ量が、（メモリ容量の上限−４セクタ）以下になったときメモリフルフラグＭＦを解除する。
【０００８】
またメモリ制御部１１０は、ショックプルーフメモリ１０９に格納されているデータ量が０に達したときメモリエンプティフラグＭＥを立て、データ量が、４セクタ以上になったときメモリエンプティフラグＭＥを解除する。
【０００９】
システム制御部１１３は、システムモード（記録モード、または再生モード）に応じてメモリ制御部１１０から供給されるメモリ・フル・フラグＭＦと、メモリエンプティフラグＭＥに基づいて、サーボ部１０６、信号復調部１０８、メモリ制御部１１０、音声伸張部１１１の制御を行う。
【００１０】
音声伸張部１１１はショックプルーフメモリ１０９のデータを読み出すデータ読み出し部であり、システム制御部１１３が再生モードを指示したとき、ショックプルーフメモリ１０９から一定レートでデータを読み出して、圧縮された音声データを伸張する。この結果、２チャンネル分の１６ビットデータが各チャンネル４４．１ｋＨｚのレートで出力される。このデータはＤＡＣ（ディジタル−アナログ変換器）１１２を介して、２チャンネル分の音声出力信号として出力される。
【００１１】
操作入力部１１４は、使用者の再生の開始、特定トラックの先頭へのアクセス等の指示を受け付ける部分で、これらの指示をシステム制御部１１３へ送出する。
【００１２】
次に、従来例のディスク再生装置の動作について、図面を参照しながら説明する。図１０は従来例のディスク再生装置の動作を示すタイミングチャートである。図１０において、ＭＳはショックプルーフメモリ１０９のデータの蓄積状態を示し、縦軸のフルはショックプルーフメモリ１０９が一杯になった状態、（フル−Ｍ）は、ショックプルーフメモリ１０９の空き容量がＭ（Ｍ＝４）セクタの状態、（エンプティ＋Ｎ）はショックプルーフメモリ１０９にＮ（Ｎ＝４）セクタ分のデータが蓄えられている状態を示す。エンプティはショックプルーフメモリ１０９が空の状態を示す。
【００１３】
ＭＦはメモリ制御部１１０が送出するメモリフルフラグである。メモリ制御部１１０はショックプルーフメモリ１０９に蓄積されているデータ量がフルになったときメモリフルフラグＭＦを立て、ショックプルーフメモリ１０９の空き容量がＭ（Ｍ＝４）セクタになったとき、メモリフルフラグＭＦをクリアする。横軸は時間経過を示す。
【００１４】
操作入力部１１４で、再生が指示されると、時間Ａでショックプルーフメモリ１０９が空の状態から一定のレートＸで再生を開始し、時間Ｂにショックプルーフメモリ１０９はフルになる。システム制御部１１３は、時間ＢでメモリフルフラグＭＦがオンになると、信号復調部１０８からショックプルーフメモリ１０９への訂正後データの書き込みを禁止する。すなわち、信号復調を示すフラグDEMENと、ショックプルーフメモリ１０９へデータ転送命令SPMWEをオフにする。
【００１５】
システム制御部１１３は時間Ｂで、信号復調部１０８からショックプルーフメモリ１０９への訂正後のデータの書き込みを禁止した後、サーボ部１０６に次のセクタへのトラックジャンプを指示する。通常は、時間Ｂまでにショックプルーフメモリ１０９セクタの次のセクタのアクセスを指示する。アクセスが完了するとサーボ部１０６からシステム制御部１１３に供給されるトラッキング信号TRONがＯＮになる。
【００１６】
その後、時間Ｃまでの間は、ショックプルーフメモリ１０９へのデータの書込は行われない。音声伸張部１１１はＸ／５のレートで、ショックプルーフメモリ１０９からデータを読み出す。
【００１７】
次に時間Ｃで、ショックプルーフメモリ１０９のデータ量が（フル−Ｍ）になると、システム制御部１１３は、 DEMENをオンにする。
【００１８】
次にシステム制御部１１３は、信号復調部１０８から送出されるＡＤＩＰアドレスと信号復調部１０８から送出されるアドレスデータが、次に取り込むセクタのひとつ前のセクタを示すアドレスであることを確認した後、時間Ｄで信号復調部１０８にデータ転送命令SPMWENを発効し、ショックプルーフメモリ１０９へのデータの転送を指示する。
【００１９】
次に時間ＥでメモリフルフラグＭＦがオンになると、信号復調部１０８からショックプルーフメモリ１０９への訂正後データの書き込みを禁止する。この後、システム制御部１１３は時間Ｂ〜時間Ｅまでと同様の処理を繰り返す。
【００２０】
以上のような制御を行うことによって、ショックプルーフメモリ１０９上には、通常（フル−Ｍ）以上の訂正後データが蓄えられ、振動等によって、復調ができなくなっても、ショックプルーフメモリ１０９上の訂正後データを用いて、音声伸張処理を継続できるので、耐震性能の高いシステムを実現することができる。
【００２１】
一方、ミニディスクの場合、ディスクが小型であることから、携帯用としても需要が高い。携帯用のディスク再生機器では、電池寿命の長さが使い勝手の上で大変重要であり、電池寿命を延ばすために再生機器の低電力化が必要である。
【００２２】
ミニディスクシステムは、前記第１の従来例で説明したとおり、間欠的に再生を行いショックプルーフメモリ１０９にデータを蓄積する方式をとるため、再生をしないときは、ショックプルーフメモリ１０９より前の再生系ブロックは、動作する必要がない。すなわち再生を停止し、ショックプルーフメモリ１０９からデータを読み出しているだけの期間は、ディスク１０１の回転を停止しても構わない。このようなミニディスクの特徴を活かして、再生停止時にスピンドルモータ１０２の駆動を停止し、消費電力を低減させることができるディスク再生装置が、特願平９−３１２２８８号の「光ディスク再生装置」にて開示されている。
【００２３】
【発明が解決しようとする課題】
しかしながら、前記従来例のようなディスク再生装置では、消費電力の低減等のため、たまたまスピンドルモータ１０２の駆動を停止し、スピンドルモータ１０２の回転が停止、または回転数が低下しているときに、使用者が、現在再生中のトラックから、別のトラックへのアクセスを指示した場合には、それまで、ショックプルーフメモリ１０９に蓄積されてきたデータを用いることはできず、新たに指示されたトラックをサーボ部１０６を駆動して、アクセスし、所望のデータをショックプルーフメモリ１０９に取り込む必要があるため、スキップ後のトラックの音声の発音が遅れる場合がある。
【００２４】
本発明は、前記従来の問題点を解決するもので、使用者が操作を行ってから一定の期間、スピンドルモータの駆動の停止を禁止し、使用者が再度、アクセス指示等の操作を行った際に、スピンドルモータの起動を待つことなく、直ちに、ショックプルーフメモリへのデータの蓄積を行えるようにし、発音までの時間を短縮することができるディスク再生装置を提供することを目的とする。
【００２５】
さらに本発明は、スピンドルモータの回転が停止、または回転数が低下しているときに、使用者が、現在再生中のトラックから、別のトラックへのアクセスを指示した場合に、通常の線速度に対応するスピンドルモータの回転数より、低い回転数で、再生を開始することにより、スピンドルモータの起動時間を短縮し、直ちに、ショックプルーフメモリへのデータの蓄積を行え、発音までの時間を短縮することができるディスク再生装置を提供することを目的とする。
【００２６】
【課題を解決するための手段】
請求項１記載のズィスク再生装置は、ディスクを回転させるスピンドルモータと、
ディスクから信号を再生するピックアップと、
ピックアップを移送するトラバースモータと、
スピンドルモータと、ピックアップとトラバースモータを制御するサーボ部と、
ピックアップから再生された信号を復調する信号復調部と、
信号復調部で復調されたデータを格納するショックプルーフメモリと、
ショックプルーフメモリを制御するメモリ制御部と、
ショックプルーフメモリのデータを読み出すデータ読み出し部と、
使用者が動作を指示するための操作入力部と、
操作入力部からの入力に基づいて、サーボ部と、信号復調部と、メモリ制御部とを制御し、操作部からの入力があったとき、操作入力フラグを出力するシステム制御部と、
システム制御部が送出する操作入力フラグを受け取ってから所定時間が経過するまでの間、操作入力期間フラグを出力するタイマ手段とを備え、
システム制御部は、サーボ部と、信号復調部と、メモリ制御部とを制御して、ディスク上の所定量のデータをショックプルーフメモリへ格納した後、操作入力期間フラグが立っていないときは、スピンドルモータの駆動を停止し、操作入力期間フラグが立っているときはスピンドルモータの駆動を停止せず、その後ショックプルーフメモリのデータ残量が所定量以下になった場合、スピンドルモータが停止、または所定の線速度以下に対応する回転数になっているときには、スピンドルモータを起動した後、ディスク上のデータのショックプルーフメモリへの格納を開始し、スピンドルモータが所定の線速度に対応する回転数になっているときには、直ちにディスク上のデータのショックプルーフメモリへの格納を開始することを特徴とするものである。
【００２７】
請求項１記載のディスク再生装置によれば、使用者が操作を行ってから一定の期間、スピンドルモータの駆動の停止を禁止し、使用者が、一定期間内に再度、アクセス指示等の操作を行った際に、スピンドルモータの起動を待つことなく、直ちに、ショックプルーフメモリへのデータの蓄積を行えるようにし、発音までの時間を短縮することができる。
【００２８】
請求項２記載のディスク再生装置は、ディスクを回転させるスピンドルモータと、
ディスクから信号を再生するピックアップと、
ピックアップを移送するトラバースモータと、
スピンドルモータと、ピックアップとトラバースモータを制御するサーボ部と、
ピックアップから再生された信号を復調する信号復調部と、
信号復調部で復調されたデータを格納するショックプルーフメモリと、
ショックプルーフメモリを制御するメモリ制御部と、
ショックプルーフメモリのデータを読み出すデータ読み出し部と、
使用者が動作を指示するための操作入力部と、
操作入力部からの入力に基づいて、サーボ部と、信号復調部と、メモリ制御部とを制御し、操作部からの入力があったとき、操作入力フラグを出力するシステム制御部と、
システム制御部が送出する操作入力フラグを受け取ってから所定時間が経過するまでの間、操作入力期間フラグを出力するタイマ手段とを備え、
システム制御部は、サーボ部と、信号復調部と、メモリ制御部とを制御して、ディスク上の所定量のデータをショックプルーフメモリへ格納した後、操作入力期間フラグが立っていないときは、スピンドルモータの駆動を停止し、操作入力期間フラグが立っているときはスピンドルモータの駆動を停止せず、その後操作入力部からトラックアクセスの指示があった場合、スピンドルモータが停止、または所定の線速度以下に対応する回転数になっているときには、スピンドルモータを起動した後、ディスク上のデータのショックプルーフメモリへの格納を開始し、スピンドルモータが所定の線速度に対応する回転数になっているときには、直ちにディスク上のデータのショックプルーフメモリへの格納を開始することを特徴とするものである。
【００２９】
請求項２記載のディスク再生装置によれば、外部からの振動等による再生信号の中断があっても再生が継続できるように、一定量以上のデータをショックプルーフメモリに蓄えるのに必要な期間だけ、スピンドルモータを駆動し、その他の期間は駆動を停止することにより、消費電力を最大限に低減するとともに使用者が別の曲をアクセスする等、トラックジャンプが生じる可能性が高い期間については、上記のスピンドルモータ駆動の停止を禁止することにより、トラックアクセスの指示があったときにスピンドルモータの回転数がデータを読み取れるレベルまで上昇するための待ち時間を最小にすることができる。
【００３０】
請求項３記載のディスク装置は、請求項１または請求項２において、システム制御部が、
サーボ部と、信号復調部と、メモリ制御部とを制御して、ディスク上の所定量のデータをショックプルーフメモリへ格納した後、スピンドルモータの駆動が停止されているとき、前記サーボ部と、前記信号復調部の動作も停止し、その後前記ショックプルーフメモリのデータ残量が所定量以下になったとき、スピンドルモータを起動するとき、前記サーボ部と、前記信号復調部の動作も開始し、ディスク上のデータの前記ショックプルーフメモリへの格納を開始するものである。
【００３１】
請求項３記載のディスク装置によれば、請求項１または請求項２と同様な効果がある。
【００３２】
請求項４記載のディスク装置は、ディスクを回転させるスピンドルモータと、
ディスクから信号を再生するピックアップと、
ピックアップを移送するトラバースモータと、
スピンドルモータと、ピックアップとトラバースモータを制御するサーボ部と、
ピックアップから再生された信号を復調する信号復調部と、
信号復調部で復調されたデータを格納するショックプルーフメモリと、
ショックプルーフメモリを制御するメモリ制御部と、
ショックプルーフメモリのデータを読み出すデータ読み出し部と、
使用者が動作を指示するための操作入力部と、
操作入力部からの入力に基づいて、サーボ部と、信号復調部と、メモリ制御部とを制御するシステム制御部とを備え、
システム制御部は、スピンドルモータが停止、または所定の値より線速度が低くなる回転数の状態で、操作入力部よりトラックアクセスの指示が出た場合、サーボ部を介してスピンドルモータを起動し、通常の再生時より低い線速度になるスピンドルモータの回転数で、サーボ部と、信号復調部と、メモリ制御部とを制御して、ディスク上のデータのショックプルーフメモリへの格納を開始することを特徴とするものである。
【００３３】
請求項４記載のディスク装置によれば、アクセス時には、スピンドルモータ起動直後のできるだけ早い時期から再生を開始することによって、データをショックプルーフメモリに取り込み開始するまでの時間を短くすることができ、その結果、アクセス後の音声再生開始の遅れを短縮することができる。
【００３４】
請求項５記載のディスク装置は、ディスクを回転させるスピンドルモータと、
ディスクから信号を再生するピックアップと、
ピックアップを移送するトラバースモータと、
スピンドルモータと、ピックアップとトラバースモータを制御するサーボ部と、
ピックアップから再生された信号を復調する信号復調部と、
信号復調部で復調されたデータを格納するショックプルーフメモリと、
ショックプルーフメモリを制御するメモリ制御部と、
ショックプルーフメモリのデータを読み出すデータ読み出し部と、
使用者が動作を指示するための操作入力部と、
操作入力部からの入力に基づいて、サーボ部と、信号復調部と、メモリ制御部とを制御するシステム制御部とを備え、
システム制御部は、スピンドルモータが停止、またはフリーランの状態で、ショックプルーフメモリのデータ残量が所定量以下になったとき、サーボ部を介してスピンドルモータを起動し、信号復調部と、メモリ制御部とを制御してディスク上のデータのショックプルーフメモリへの格納を開始し、その後サーボ部と、信号復調部と、メモリ制御部とを制御して、所定の線速度または所定のスピンドルモータ回転数に達するまで、スピンドルモータの回転数を上昇させることを特徴とするものである。
【００３５】
請求項５記載のディスク装置によれば、スピンドルモータ起動直後のできるだけ早い時期から再生を開始することによって、データをショックプルーフメモリに取り込み開始するまでの時間を短くすることができ、その結果、アクセス後の音声再生開始の遅れを短縮することができるとともに、再生開始以降は、スピンドルモータの回転数を上昇させることにより、再生期間を短縮することができるので、再生アンプ、信号復調部、サーボ部、光ピックアップの平均消費電力を低減することができる。
【００３６】
請求項６記載のディスク装置は、ディスクを回転させるスピンドルモータと、
ディスクから信号を再生するピックアップと、
ピックアップを移送するトラバースモータと、
スピンドルモータと、ピックアップとトラバースモータを制御するサーボ部と、
ピックアップから再生された信号を復調する信号復調部と、
信号復調部で復調されたデータを格納するショックプルーフメモリと、
ショックプルーフメモリを制御するメモリ制御部と、
ショックプルーフメモリのデータを読み出すデータ読み出し部と、
使用者が動作を指示するための操作入力部と、
操作入力部からの入力に基づいて、サーボ部と、信号復調部と、メモリ制御部とを制御するシステム制御部とを備え、
システム制御部は、スピンドルモータが停止、またはフリーランの状態で、トラックアクセスの指示が出た場合、サーボ部を介してスピンドルモータを起動し、信号復調部と、メモリ制御部とを制御して、ディスク上のデータのショックプルーフメモリへの格納を開始し、その後サーボ部と、信号復調部と、メモリ制御部とを制御して、所定の線速度または所定のスピンドルモータ回転数に達するまで、スピンドルモータの回転数を上昇させることを特徴とするものである。
【００３７】
請求項６記載のディスク装置によれば、アクセス時には、スピンドルモータ起動直後のできるだけ早い時期から再生を開始することによって、データをショックプルーフメモリに取り込み開始するまでの時間を短くすることができ、その結果、アクセス後の音声再生開始の遅れを短縮することができるとともに、再生開始以降は、スピンドルモータの回転数を上昇させることにより、再生期間を短縮することができるので、再生アンプ、信号復調部、サーボ部、光ピックアップの平均消費電力を低減することができる。
【００３８】
請求項７記載のディスク装置は、ディスクを回転させるスピンドルモータと、
ディスクから信号を再生するピックアップと、
ピックアップを移送するトラバースモータと、
スピンドルモータと、ピックアップとトラバースモータを制御するサーボ部と、
ピックアップから再生された信号を復調する信号復調部と、
信号復調部で復調されたデータを格納するショックプルーフメモリと、
ショックプルーフメモリを制御するメモリ制御部と、
ショックプルーフメモリのデータを読み出すデータ読み出し部と、
使用者が動作を指示するための操作入力部と、
操作入力部からの入力に基づいて、サーボ部と、信号復調部と、メモリ制御部とを制御するシステム制御部とを備え、
システム制御部は、スピンドルモータが停止またはフリーランの状態で、サーボ部を介してスピンドルモータを起動し、信号復調部が出力するアドレスＯＫフラグがＯＫになった後、信号復調部と、メモリ制御部とを制御して、ディスク上のデータのショックプルーフメモリへの格納を開始し、その後サーボ部と、信号復調部と、メモリ制御部とを制御して、所定の線速度または所定のスピンドルモータ回転数に達するまで、スピンドルモータの回転数を上昇させることを特徴とするものである。
【００３９】
請求項７記載のディスク装置によれば、請求項６と同様な効果がある。
【００４０】
【発明の実施の形態】
以下、本発明の第１の実施の形態について、図１から図４を参照しながら説明する。本発明の第１の実施の形態は、使用者が操作を行ってから一定の期間、スピンドルモータの駆動の停止を禁止し、使用者が、一定期間内に、再度アクセス指示等の操作を行った際に、スピンドルモータの起動を待つことなく、直ちに、ショックプルーフメモリへのデータの蓄積を行えるようにし、発音までの時間を短縮することを目的とする。
【００４１】
図１に本発明の第１の実施の形態のディスク再生装置の構成を示す。図１と従来例の構成を示す図９との違いは、タイマ手段１１６の追加とシステム制御部１１３の動作の変更である。その他の部分は、図９と同様であるので説明を省略する。
【００４２】
図１において、タイマ手段１１６は、システム制御部１１３が送出する操作入力フラグを受け取ってから所定時間が経過するまでの間、操作入力期間フラグを出力する。
【００４３】
図３にタイマ手段の構成を示す。タイマ手段１１６は、システム制御部１１３から出力される操作入力フラグＫＥＹを受け取ると、システム制御部１１３から設定されたカウント初期値ＤＡＴＡに基づいて、一定期間、操作期間フラグＯＰＦを立てる機能を有する。
【００４４】
図３において、クロック生成部５０３は、０．２５秒の周期をもつクロックを生成する。ＲＳフリップフロップ５０１は、システム制御部１１３から出力される操作入力フラグＫＥＹによってセットされ、カウンタ５０２の出力するオーバーフローフラグＯＶＦによってリセットされる。カウンタ５０２は、ＲＳフリップフロップ５０１の出力が”０”のとき、システム制御部１１３から送出されたロードデータＤＡＴＡをロードし、それ以外の時にクロックＣＬＯＣＫによってカウントアップし、２５５に達するとオーバーフローフラグＯＶＦを出力するロード機能付の８ビットのバイナリカウンタである。
【００４５】
したがって、カウンタ５０２は、操作入力フラグＫＥＹが入力されたとき、ＲＳフリップフロップ５０１がセットされるので、操作期間フラグＯＰＦが”１”になり、カウントアップを始め、カウント値が２５５に達してオーバーフローすると、オーバーフローフラグＯＶＦが立って、操作期間フラグＯＰＦが”０”になり、カウンタ５０２には、システム制御部１１３から送出されたロードデータＤＡＴＡがロードされる。例えばＤＡＴＡが”０”のときカウンタ５０２は、操作入力フラグＫＥＹが入力されてから、２５６回カウントアップした後、オーバーフローする。すなわち、操作期間フラグＯＰＦは、操作入力フラグＫＥＹが、入力されてから、クロックＣＬＯＣＫの周期（０．２５秒）の２５６倍の期間（６４秒）、”１”になり、その後”０”に戻る。
【００４６】
システム制御部１１３は、タイマ手段１１６から出力される操作期間フラグＯＰＦが立っている間、サーボ部１０６に対して、スピンドルモータ１０２の停止を禁止する。
【００４７】
次に本発明の第１の実施の形態の動作について説明する。図４は本発明の第１の実施の形態のシステム制御部１１３の再生時の動作を示すフローチャートである。図４において、処理６０１は、タイマ手段１１６の初期値ＤＡＴＡを０に設定する処理を示す。処理６０２は、操作入力部１１４から、トラックアクセスの指示があった場合、処理６０９に分岐し、それ以外の場合処理６０３に分岐する処理を示す。
【００４８】
処理６０３は、ショックプルーフメモリ１０９のデータ残量が下限Ｌ（エンプティ＋Ｎ）以上、上限Ｕ（フル−Ｍ）以下のとき、処理６０４に分岐し、それ以外のとき、処理６０２に分岐する処理を示す。
【００４９】
処理６０４は、ショックプルーフメモリ１０９のデータ残量が上限Ｕ以上のとき、処理６０５に分岐し、それ以外のとき、処理６１１に分岐する処理を示す。
【００５０】
処理６０５は、再生アンプ１０７と信号復調部１０８に対して、再生の停止を指示する処理を示す。
【００５１】
処理６０６は、サーボ部１０６に対して、ＰＵサーボ（フォーカスサーボ、トラッキングサーボ、トラバースサーボ）の停止を指示する処理を示す。
【００５２】
処理６０７は、操作期間フラグＯＰＦが１のとき、処理６０８に分岐し、それ以外のとき、処理６０２に分岐する処理を示す。
【００５３】
処理６０８は、サーボ部１０６に対して、スピンドルサーボの停止を指示し、スピンドルモータ１０２をフリーランにする処理を示す。
【００５４】
処理６０９は、サーボ部１０６に対して、ＰＵサーボ（フォーカスサーボ、トラッキングサーボ、トラバースサーボ）を起動する処理を示す。
【００５５】
処理６１０は、サーボ部１０６に対して、操作入力部１１４から指定されたトラックをアクセスするよう指示する処理を示す。
【００５６】
処理６１１は、サーボ部１０６に対して、ＰＵサーボ（フォーカスサーボ、トラッキングサーボ、トラバースサーボ）を起動する処理を示す。
【００５７】
処理６１２は、サーボ部１０６に対してスピンドルモータ１０２を起動し、ＣＬＶ（線速度一定の）スピンドルサーボをかけるように指示する処理を示す。
【００５８】
処理６１３は、サーボ部１０６から送出されるＣＬＶサーボロック信号が１のとき、処理６１４に分岐し、それ以外のとき、処理６１３に分岐する処理を示す。
【００５９】
処理６１４は、再生アンプ１０７と信号復調部１０８に対して、再生の開始を指示する処理を示す。
【００６０】
図２は、本発明の第１の実施の形態の動作を示すタイミングチャートである。図２において、（１）ＫＥＹは、使用者がキーを操作した場合に、操作入力部１１４を介して、システム制御部１１３から出力される操作入力フラグを示す。（２）ＯＶＦは、タイマ手段１１６内のカウンタ５０２のオーバーフロー時に立つオーバーフローフラグＯＶＦを示す。（３）ＯＰＦは、操作入力フラグＫＥＹが立ってから、６４秒の期間、”１”を出力する操作期間フラグＯＰＦを示す。（４）ＳＰＤＬは、スピンドルモータ１０２の回転数を示す。（５）ＤＥＭは、再生アンプ１０７と、信号復調部１０８が動作中であることを示す。（６）ＳＲＶは、サーボの動作モードを示す。（７）ＤＡＣ１１２から出力される音声を示す。Ｍは、ミュート期間を、トラックＮ（Ｎ＝１，２，３）はトラックＮに記録された音声が再生されていることを示す。
【００６１】
図２の期間Ａは、操作期間フラグＯＰＦ＝０の状態で、ショックプルーフメモリ１０９のデータ量に応じて、ショックプルーフメモリ１０９への再生データの書き込みが間欠的に実行される通常の再生状態を示し、このとき、システム制御部１１３の処理は、処理６０２、６０３、６０４と処理６０５、６０６、６０７または処理６１１、６１２、６１３、６１４を繰り返す。
【００６２】
期間Ａにおいて、４１６，４１７の期間、サーボ部１０６は、システム制御部１１３の指示（処理６１２）により、ＣＬＶ（線速度一定）制御をかける。図２の４０３、４０６は、サーボ部１０６が間欠再生を開始するため、スピンドルモータ１０２を起動し、回転数を上昇させている状態、４０４、４０７は、ＣＬＶ（線速度一定）制御がかかっている状態、４０５、４０８は、ＣＬＶ制御を停止し、スピンドルモータ１０２がフリーランになっている状態を示す。
【００６３】
また再生アンプ１０７と、信号復調部１０８は、システム制御部１１３の指示（処理６１４）により、４１２と４１３の期間だけ再生動作状態になり、ショックプルーフメモリ１０９にデータを格納する。一方音声伸長部１１１は継続して、ショックプルーフメモリ１０９からデータを読み出しＤＡコンバータ１１２にデータを供給し、音声信号を出力する。
【００６４】
したがって、通常の再生状態では、スピンドルモータ１０２、サーボ部１０６、再生アンプ１０７と、信号復調部１０８は、ほとんどの期間動作を停止しており、この間の消費電力を節約することができる。
【００６５】
図２の期間Ｂは、トラック３のアクセスの期間を示し、期間Ｃは、トラック５のアクセスの期間を示す。４００のタイミングで一回目のキー操作である「３トラック目をアクセスし、再生開始」に対する、操作入力フラグＫＥＹが立ち、４０１のタイミングで、２回目のキー操作である「５トラック目をアクセスし、再生開始」に対する操作入力フラグＫＥＹが立つ。
【００６６】
タイマ手段１１６は、操作入力フラグＫＥＹが立ってから、６４秒間、操作期間フラグＯＰＦを立てる。期間Ｂは、４０秒なので、タイミング４０１まで、操作期間フラグＯＰＦは立ち続け、タイミング４０１で再度、操作入力フラグＫＥＹが立ち、その６４秒後に操作期間フラグＯＰＦは、立ち下がる。
【００６７】
システム制御部１１３は、処理６０７の判断で、操作期間フラグが立っている間は処理６０８を実行しないので、サーボ部１０６に対して、スピンドルモータ１０２の停止をしない。その結果、期間Ｂ、期間Ｃの間、スピンドルモータ１０２は、回転を続ける。
【００６８】
タイミング４００では、システム制御部１１３は、操作入力部１１４から「３トラック目をアクセスし、再生開始」の指示を受けて、処理６１０で、サーボ部１０６にアクセスの指示を与える。このときサーボ部１０６は、システム制御部１１３の指示（処理６１２）を受けてＣＬＶ制御モードに入り、スピンドルモータ１０２を起動するが、システム制御部１１３は、スピンドルモータ１０２が、再生可能な回転数に達してから、すなわち処理６１３で、ＣＬＶ制御がロックしたことを確認してから、処理６１４で再生アンプ１０７と、信号復調部１０８に再生を指示し、ショックプルーフメモリ１０９へのデータの取り込みを再開する。タイミング４０１では、システム制御部１１３は、処理６０２で、操作入力部１１４から「５トラック目にスキップ」の指示を受けて、処理６１０で、サーボ部１０６にアクセスの指示を与える。このときサーボ部１０６は、あらかじめＣＬＶ制御モードに入っており、すでにスピンドルモータ１０２が、再生可能な回転数に達しているので、処理６１３でのＣＬＶ制御のロックが直ちに確認され、処理６１４で、直ちに再生アンプ１０７と、信号復調部１０８に再生を指示し、ショックプルーフメモリ１０９へのデータの取り込みを行う。したがって、タイミング４０１でのアクセスは、タイミング４００でのアクセスより、短時間で完了する。
【００６９】
次に４０２では、タイマ手段１１６がオーバーフローし、操作期間フラグＯＰＦが立ち下がるので、これ以降は、期間Ａと同様に、再生しない期間には、スピンドルモータをフリーランにする形態で間欠再生が行われる。
その結果、使用者の操作があってから６４秒の間は、消費電力は増えるが、スキップ等のトラックアクセスを高速に行うことができ、かつ使用者の操作が長時間なかった場合には、再生しない期間にスピンドルモータ１０２をフリーランにし、消費電力を低減することができる。
【００７０】
次に本発明の第２の実施の形態について、図５および図６を参照しながら説明する。本発明の第２の実施の形態は、スピンドルモータ１０２の回転が停止、または回転数が低下しているときに、使用者が現在再生中のトラックから、別のトラックへのアクセスを指示した場合に、通常の線速度に対応するスピンドルモータ１０２の回転数より、低い回転数で、再生を開始することにより、スピンドルモータ１０２の起動時間を短縮し、直ちにショックプルーフメモリ１０９へのデータの蓄積を行えるようにし、発音までの時間を短縮することを目的とする。
【００７１】
本発明の第２の実施の形態のディスク再生装置の構成は、図１の本発明の第１の実施の形態と同じで、構成ブロックの機能が異なる。本発明の第１の実施の形態との違いは、再生アンプ１０７、信号復調部１０８、サーボ部１０６が通常線速の再生モードと、倍線速の再生モードをもち、システム制御部１１３の指示によりモードが切り替えられる点である。したがって信号復調部１０８は、通常線速モードでは、復調の際に検出されたフレームクロック（約７．３５ｋＨｚ）をサーボ部１０６に供給し、倍線速モードでは、復調の際に検出されたフレームクロック（約１４．７ｋＨｚ）をサーボ部１０６に供給する。
【００７２】
次に本発明の第２の実施の形態の動作について説明する。
【００７３】
図５は本発明の第２の実施の形態のシステム制御部１１３の再生時の動作を示すフローチャートである。図５において、処理６０１から処理６１４までは、図６の本発明の第１の実施の形態のシステム制御部の動作を示すフローチャートと同一なので、説明を省略する。
【００７４】
処理６１５は、サーボ部１０６に対して、ＰＵサーボ（フォーカスサーボ、トラッキングサーボ、トラバースサーボ）を起動する処理を示す。
【００７５】
処理６１６は、サーボ部１０６に対してスピンドルモータ１０２を起動し、２倍線速のＣＬＶ（線速度一定の）スピンドルサーボをかけるように指示する処理を示す。
【００７６】
処理６１７は、サーボ部１０６から送出されるＣＬＶサーボロック信号が１のとき、処理６１８に分岐し、それ以外のとき、処理６１７に分岐する処理を示す。
【００７７】
処理６１８は、再生アンプ１０７と信号復調部１０８に対して、２倍線速の再生の開始を指示する処理を示す。
【００７８】
したがって、本発明の第２の実施の形態のシステム制御部１１３は、処理６０４でショックプルーフメモリ１０９のデータ残量が下限Ｌ以下になったときは、処理６１１〜処理６１４で通常線速での再生を行い、処理６１０でアクセスの指示があった場合には、処理６１５から処理６１８で、２倍線速の再生を行う。
【００７９】
図６は、本発明の第２の実施の形態の動作を示すタイミングチャートである。図６で、（１）から（７）までは、表示項目としては、図２の本発明の第１の実施の形態のシステム制御部の動作を示すタイミングチャートと同様なので項目の説明を省略する。
【００８０】
図２の本発明の第１の実施の形態のシステム制御部の動作を示すタイミングチャートとの違いは、（４）スピンドルモータ回転数ＳＰＤＬが、線速が通常線速の倍になる回転数まで、上昇しており、これに伴って、（５）再生期間ＤＥＭが半分に短縮され、（６）サーボ動作ＳＲＶのＣＬＶ制御期間が長くなっている点である。
【００８１】
線速を２倍にして再生した場合、再生期間が半分になるので、再生アンプ１０７、信号復調部１０８、サーボ部１０６、光ピックアップ１０３の平均消費電力を低減することができる。一方、スピンドルモータ１０２を起動し、線速が通常線速の倍になってから再生を開始する場合には、データをショックプルーフメモリ１０９に取り込み開始するまでの時間が長くなる。例えば、期間４０９で、スピンドルモータ１０２を起動し、スピンドルモータ１０２の回転数が通常線速に達してから再生を開始する場合は期間がＴで済むが、期間８０６で、スピンドルモータ１０２を起動し、スピンドルモータ１０２の回転数が通常線速の倍に達してから再生を開始する場合は、２Ｔの時間がかかる。この遅れは、ショックプルーフメモリ１０９のデータ残量が十分ある場合は、問題にならないが、トラックアクセスを行うときなど、以前に取り込んだショックプルーフメモリ１０９のデータが無効になる場合には、音声再生開始の遅れにつながる。本実施の形態では、通常の間欠再生時には、線速を２倍にして再生するが、アクセスがあったときは、線速を１倍速にして再生するため、アクセスの指令から時間Ｔ後、再生が可能になるが、これを仮に、２倍の線速になってから、再生を開始するようにしていれば、２Ｔの時間がかかり、時間Ｔだけトラック３の音声再生開始が遅れることになる。
【００８２】
したがって、通常の間欠再生時には、２倍線速で再生を行うことにより平均消費電力を低減し、アクセスの際には、通常線速で再生を行うことにより、音声再生開始の遅れを少なくすることができる。
【００８３】
次に本発明の第３の実施の形態について、図７および図８を参照しながら説明する。本発明の第３の実施の形態は、スピンドルモータ１０２の回転が停止、またはフリーランのときに、使用者が、現在再生中のトラックから、別のトラックへのアクセスを指示した場合に、データの読みとりが可能になった時点で、再生を開始することにより、スピンドルモータの起動時間を短縮し、直ちにショックプルーフメモリへのデータの蓄積を行えるようにし、発音までの時間を短縮するとともに、再生開始後、徐々に線速度を上昇させていき、再生時間を短縮することによって、光ピックアップ、再生アンプ、信号処理部、サーボ部の平均消費電力を低減することを目的とする。
【００８４】
本発明の第３の実施の形態のディスク再生装置の構成は、図１の本発明の第１の実施の形態と同じで、構成ブロックの機能が異なる。本発明の第１の実施の形態との違いは、再生アンプ１０７、信号復調部１０８が、０．５倍線速から２倍線速までの間で、光ピックアップ１０３から入力される信号の線速に応じて、信号を再生し、ショックプルーフメモリ１０９にデータを格納する機能を有する点と、信号復調部１０８が、ＡＤＩＰ（アドレスインプリグルーブ）アドレス、またはサブコードに記録されているアドレスが読めた時点で、システム制御部１１３にアドレスＯＫフラグＡＤＯＫを出力する機能を有する点と、サーボ部１０６が、再生開始の指示を受けると２倍線速に達するまで、スピンドルモータ１０１の回転数を上昇させる機能を有する点である。
【００８５】
次に本発明の第３の実施の形態の動作について説明する。図７は本発明の第３の実施の形態のシステム制御部１１３の再生時の動作を示すフローチャートである。図７において、処理６０１から処理６１１までは、図４の本発明の第１の実施の形態のシステム制御部の動作を示すフローチャートと同一なので、説明を省略する。
【００８６】
処理６２０は、サーボ部１０６に対して、２倍線速を目標値として、スピンドルサーボを起動する処理を示す。
【００８７】
処理６２１は、信号復調部１０８から出力されるアドレスＯＫフラグＡＤＯＫが１のとき、処理６２２に分岐し、そうでないとき処理６２１に分岐する処理を示す。
【００８８】
処理６２２は、再生アンプ１０７、信号復調部１０８に対して、再生動作の開始を指示する処理を示す。
【００８９】
したがって、本発明の第３の実施の形態のシステム制御部１１３は、処理６０４でショックプルーフメモリ１０９のデータ残量が下限Ｌ以下になったときは、処理６２２で０．５倍速程度の線速から再生を開始し、線速度が２倍に達するまで、徐々にスピンドルモータ１０２の回転数が上昇していき、再生信号のレートが通常の２倍まで上昇する。なおミニディスクの場合の再生レートは、フレームレートで言うと、通常７．３５ｋＨｚであり、線速が２倍の場合には、１４．７ｋＨｚとなる。
【００９０】
図８は、本発明の第３の実施の形態の動作を示すタイミングチャートである。図８で、（１）から（７）までは、表示項目としては、図４の本発明の第１の実施の形態のシステム制御部の動作を示すタイミングチャートと同様なので項目の説明を省略する。
【００９１】
図２の本発明の第１の実施の形態のシステム制御部の動作を示すタイミングチャートとの違いは、（４）スピンドルモータ回転数ＳＰＤＬが、線速が通常線速の倍になる回転数まで、上昇している点、（５）再生期間ＤＥＭにおいて、再生アンプ１０７、信号復調部１０８が０．５倍速から信号の再生ができるため、線速度が０．５倍速まで上昇したタイミングでアドレスＯＫフラグＡＤＯＫが立つので、システム制御部１１３の処理６２１により、スピンドルモータ１０２の回転数が線速度の０．５倍速相当まで上昇する１０１９のタイミングから、再生を開始している点である。また１００３，１００６、１００９は、スピンドルモータ１０２の回転数が、線速度の２倍相当まで徐々に上昇している状態、１０１０はスピンドルモータ１０２の回転数が、線速度の２倍相当をキープしている状態、１００５，１００８、１０１１は、スピンドルモータがフリーランになっている状態を示す。
【００９２】
項目（６）において１０１６、１０１７、１０１８は、サーボ部１０６が２倍線速を目標に徐々にスピンドルモータ１０２の回転数を上昇させ、２倍線速に達すると、線速をキープする状態を示す。
【００９３】
以上のように本発明の第３の実施の形態により、アクセス時には、スピンドルモータ起動直後のできるだけ早い時期から再生を開始することによって、データをショックプルーフメモリ１０９に取り込み開始するまでの時間を短くすることができ、その結果、アクセス後の音声再生開始の遅れを短縮することができるとともに、再生開始以降は、スピンドルモータ１０２の回転数を上昇させることにより、再生期間を短縮することができるので、再生アンプ１０７、信号復調部１０８、サーボ部１０６、光ピックアップ１０３の平均消費電力を低減することができる。
【００９４】
なお、本実施の形態では、スピンドルモータ１０２の回転数を２倍線速を目標に制御する場合について説明したが、スピンドルモータ自体の所定の回転数を目標に制御してもよい。ディスク全体を通じて、再生信号のレートの平均値を最大にし、再生期間を最小にし、消費電力を最小にするためには、再生アンプ１０７、信号復調部１０８等の信号処理系の線速度の上限がネックになる場合には、所定の線速度を目標に制御し、スピンドルモータ１０２の回転数の上限がネックになる場合にはスピンドルモータ自体の所定の回転数を目標にするのが好ましい。
【００９５】
また本実施の形態では、スピンドルモータ１０２の起動後の再生アンプ１０７、信号復調部１０８の再生開始と、ショックプルーフメモリ１０９への取り込み開始の条件として、信号復調部１０８の出力するアドレスＯＫフラグを例に説明したが、誤り訂正符号の検査結果、同期信号の検出結果等、データの有効性を示すものであれば、何でもよい。
【００９６】
また、スピンドルモータの制御として、所定の線速度とスピンドルモータ回転数のどちらを目標にするかについては、ディスク全体を通じて、再生信号のレートの平均値を最大にし、再生期間を最小にし、消費電力を最小にするため、再生アンプ、信号復調部等の信号処理系の線速度の上限がネックになる場合には、所定の線速度を目標に制御し、スピンドルモータの回転数の上限がネックになる場合にはスピンドルモータ自体の所定の回転数を目標にするのが好ましい。
【００９７】
【発明の効果】
請求項１記載のディスク再生装置によれば、使用者が操作を行ってから一定の期間、スピンドルモータの駆動の停止を禁止し、使用者が、一定期間内に再度、アクセス指示等の操作を行った際に、スピンドルモータの起動を待つことなく、直ちに、ショックプルーフメモリへのデータの蓄積を行えるようにし、発音までの時間を短縮することができる。
【００９８】
請求項２記載のディスク再生装置によれば、スピンドルモータが停止、または所定の値より線速度が低くなる回転数で、操作入力部より、トラックアクセスの指示が出た場合、スピンドルモータを起動し、通常の再生時より、低い線速度になるスピンドルモータの回転数で、サーボ部と、信号復調部と、メモリ制御部とを制御して、ディスク上のデータのショックプルーフメモリへの格納を開始するように構成することによって、スピンドルモータの回転が停止、または回転数が低下しているときに、使用者が現在再生中のトラックから、別のトラックへのスキップを指示した場合に、通常の線速度に対応するスピンドルモータの回転数より低い回転数で再生を開始することにより、スピンドルモータの起動時間を短縮し、直ちに、ショックプルーフメモリへのデータの蓄積を行えるようにし、発音までの時間を短縮することができる。
【００９９】
請求項３記載のディスク装置によれば、請求項１または請求項２と同様な効果がある。
【０１００】
請求項４記載のディスク装置によれば、アクセス時には、スピンドルモータ起動直後のできるだけ早い時期から再生を開始することによって、データをショックプルーフメモリに取り込み開始するまでの時間を短くすることができ、その結果、アクセス後の音声再生開始の遅れを短縮することができる。
【０１０１】
請求項５記載のディスク装置によれば、スピンドルモータ起動直後のできるだけ早い時期から再生を開始することによって、データをショックプルーフメモリに取り込み開始するまでの時間を短くすることができ、その結果、アクセス後の音声再生開始の遅れを短縮することができるとともに、再生開始以降は、スピンドルモータの回転数を上昇させることにより、再生期間を短縮することができるので、再生アンプ、信号復調部、サーボ部、光ピックアップの平均消費電力を低減することができる。
【０１０２】
請求項６記載のディスク装置によれば、アクセス時には、スピンドルモータ起動直後のできるだけ早い時期から再生を開始することによって、データをショックプルーフメモリに取り込み開始するまでの時間を短くすることができ、その結果、アクセス後の音声再生開始の遅れを短縮することができるとともに、再生開始以降は、スピンドルモータの回転数を上昇させることにより、再生期間を短縮することができるので、再生アンプ、信号復調部、サーボ部、光ピックアップの平均消費電力を低減することができる。
【０１０３】
請求項７記載のディスク装置によれば、請求項６と同様な効果がある。
【図面の簡単な説明】
【図１】本発明の第１の実施の形態におけるディスク再生装置の構成を示すブロック図である。
【図２】第１の実施の形態におけるディスク再生装置の動作を示すタイミングチャートである。
【図３】第１の実施の形態におけるタイマ手段の構成を示すブロック図である。
【図４】第１の実施の形態におけるディスク再生装置のシステム制御部の動作を示すフローチャートである。
【図５】第２の実施の形態におけるディスク再生装置のシステム制御部の動作を示すフローチャートである。
【図６】第２の実施の形態におけるディスク再生装置の動作を示すタイミングチャートである。
【図７】第２の実施の形態におけるディスク再生装置のシステム制御部の動作を示すフローチャートである。
【図８】第２の実施の形態におけるディスク再生装置の動作を示すタイミングチャートである。
【図９】従来例におけるディスク再生装置の構成を示すブロック図である。
【図１０】従来例におけるディスク再生装置の動作を示すタイミングチャートである。
【符号の説明】
１０２  スピンドルモータ
１０３  光ピックアップ
１０４  トラバースモータ
１０５  モータドライバ
１０６  サーボ部
１０８  信号復調部
１０９  ショックプルーフメモリ
１１０  メモリ制御部
１１１  音声伸張部
１１２  ＤＡコンバータ
１１３  システム制御部
１１４  操作入力部
１１６  タイマ手段
【図１】
0004076658.tif 000002
【図２】
0004076658.tif 000003
【図３】
0004076658.tif 000004
【図４】
0004076658.tif 000005
【図５】
0004076658.tif 000006
【図６】
0004076658.tif 000007
【図７】
0004076658.tif 000008
【図８】
0004076658.tif 000009
【図９】
0004076658.tif 000010
【図１０】
0004076658.tif 000011